(57)【特許請求の範囲】
【請求項１】
複数の情報端末、管理サーバ、及び広告情報を記憶する広告情報サーバがネットワークを介して接続され、情報端末が受信した情報に対して前記広告情報サーバに記憶された広告情報を挿入するようになっている情報配信システムにおいて、
前記管理サーバは、
第１の情報端末に対して配信する配信情報に含まれる第１の広告情報を記憶する広告情報配信履歴記憶手段と、
第２の情報端末に対して配信する配信情報に含まれる第２の広告情報を検出する広告情報検出手段と、
上記第１の広告情報と第２の広告情報とが一致するか否かを判定する広告情報比較手段と、
上記広告情報比較手段によって上記第１の広告情報と第２の広告情報とが一致すると判定された場合に、上記第２の情報端末に対して配信される配信情報から上記第２の広告情報を削除するか、又は上記第２の広告情報を、前記広告情報サーバにアクセスして取得した別の広告情報に差し換える広告情報編集手段と、
上記第１の情報端末を利用する者を表す第１の利用者情報を取得する第１の情報端末利用者情報取得手段と、
上記第２の情報端末を利用する者を表す第２の利用者情報を取得する第２の情報端末利用者名情報取得手段と、
上記第１の利用者情報と第２の利用者情報とが一致するか否かを判定する利用者情報判定手段とを備え、
上記広告情報編集手段は、上記利用者情報判定手段によって上記第１の利用者情報と第２の利用者情報とが一致すると判定されたときに限り、上記第２の広告情報の削除、又は上記第２の広告情報の差換えを実行することを特徴とする情報配信システム。
【請求項２】
複数の情報端末、管理サーバ、及び広告情報を記憶する広告情報サーバがネットワークを介して接続され、情報端末が受信した情報に対して前記広告情報サーバに記憶された広告情報を挿入するようになっている情報配信方法において、
前記管理サーバが、第１の情報端末に対して配信する配信情報に含まれる第１の広告情報を前記管理サーバの記憶部に記憶するステップと、
前記管理サーバが、第２の情報端末に対して配信する配信情報に含まれる第２の広告情報を検出するステップと、
前記管理サーバが、上記第１の広告情報と第２の広告情報とが一致するか否かを判定する広告情報判定ステップと、
前記管理サーバが、上記第１の情報端末を利用する者を表す第１の利用者情報を取得するステップと、
前記管理サーバが、上記第２の情報端末を利用する者を表す第２の利用者情報を取得するステップと、
前記管理サーバが、上記第１の利用者情報と第２の利用者情報とが一致するか否かを判定する利用者情報判定ステップと、
前記管理サーバが、上記広告情報判定ステップによって上記第１の広告情報と第２の広告情報とが一致すると判定され、かつ上記利用者情報判定ステップによって上記第１の利用者情報と第２の利用者情報とが一致すると判定された場合に、上記第２の情報端末に対して配信される配信情報から上記第２の広告情報を削除するか、又は上記第２の広告情報を、前記広告情報サーバにアクセスして取得した別の広告情報に差し換えるステップとを備えたことを特徴とする情報配信方法。
【発明の詳細な説明】
【０００１】
【発明の属する技術分野】
この発明は情報配信システムおよび情報配信方法に関する。より詳しくは、複数の情報端末がネットワークを介して接続され、情報端末が受信した情報に対して広告情報を自動的に挿入するようになっている情報配信システムおよび情報配信方法に関する。
【０００２】
ここで「情報端末」とは、サーバ、クライアント端末などのコンピュータのほか、イメージスキャナ、プリンタなど、ネットワーク上のアドレスを有する情報端末を広く指す。
【０００３】
【従来の技術】
クライアントがパーソナルコンピュータを使ってＷｅｂサイトヘアクセスしてネットニュースを閲覧する場合、そのネットニュースを配信する事業主は、ネットニュースにバナー広告等を添付し、広告主からの広告収入を得ている。―方、パーソナルコンピュータ・携帯電話の販売主、通信サービス事業主、インターネットサービスプロバイダ等においては、クライアントによる広告情報閲覧／視聴を前提に、端末利用料金／通信利用料金／端末購入価格をディスカウントさせている。このように、ネットワークでの情報利用、端末利用においては、広告閲覧／視聴が前提でビジネスを成立させることが多い（例えば特開平１１−３１６７２０号公報、特開平１１−６８９８７号公報等）。
【０００４】
また、クライアントがパーソナルコンピュータを使ってサイトヘアクセスして情報取得する場合に、広告情報・画像等を削除してテキスト情報のみ取得する等のケースもある（例えば、特開平１１−２０３１００号公報）。
【０００５】
情報配信事業主のサイト以外から取得した情報、例えば、イントラネット内で流通する情報や、プリンタ・ファックス等の周辺機器での情報印刷において、扱う情報に広告情報を挿入することで、クライアントに課すべき端末利用料金／消耗品価格／ソフトウェア利用料金をディスカウントする等のサービスを示した例も知られている（特開平１１−１９６７２０号公報、２１９４８１号公報、特開平１０−３０１４５号公報、特開平９−９０８３１号公報、特開２０００‐１８１６６７号公報、特開平１１−２０３１００号公報、特開平１１−２６１９７８号公報、特開平１０−１６４１３７号公報、特開２０００−２００１６３号公報）。
【０００６】
【発明が解決しようとする課題】
ところで、従来のシステムにおいては、次のａ）、ｂ）のような課題がある。
【０００７】
ａ）  同一のクライアントが複数の端末を使って各種情報配信サービスをうける場合、それらの配信情報にそれぞれ同じ広告情報が挿入されることが多い。このため、そのクライアントは、複数の端末で同じ広告情報を重複して見ることになり、不快感を覚えることがある。
【０００８】
ｂ）  広告情報Ａを含む配信情報Ｘを受信した或る端末から、別の端末ＰＣへその配信情報Ｘが転送されるとき、予め端末ＰＣが受信した情報に対して広告情報Ａを自動的に挿入するシステムになっている場合は、クライアントが端末ＰＣでその配信情報Ｘを開くと、例えば図４（ｆ）に示すように、モニタ画面上に同じ広告情報Ａが二つ重複して表示されてしまう。
【０００９】
そこで、この発明の目的は、広告情報の重複を防止できる情報配信システムおよび情報配信方法を提供することにある。
【００１０】
【課題を解決するための手段】
上記目的を達成するため、請求項１に記載の情報配信システムは、複数の情報端末、管理サーバ、及び広告情報を記憶する広告情報サーバがネットワークを介して接続され、情報端末が受信した情報に対して前記広告情報サーバに記憶された広告情報を挿入するようになっている情報配信システムにおいて、
前記管理サーバは、
第１の情報端末に対して配信する配信情報に含まれる第１の広告情報を記憶する広告情報配信履歴記憶手段と、
第２の情報端末に対して配信する配信情報に含まれる第２の広告情報を検出する広告情報検出手段と、
上記第１の広告情報と第２の広告情報とが一致するか否かを判定する広告情報比較手段と、
上記広告情報比較手段によって上記第１の広告情報と第２の広告情報とが一致すると判定された場合に、上記第２の情報端末に対して配信される配信情報から上記第２の広告情報を削除するか、又は上記第２の広告情報を、前記広告情報サーバにアクセスして取得した別の広告情報に差し換える広告情報編集手段と、
上記第１の情報端末を利用する者を表す第１の利用者情報を取得する第１の情報端末利用者情報取得手段と、
上記第２の情報端末を利用する者を表す第２の利用者情報を取得する第２の情報端末利用者名情報取得手段と、
上記第１の利用者情報と第２の利用者情報とが一致するか否かを判定する利用者情報判定手段とを備え、
上記広告情報編集手段は、上記利用者情報判定手段によって上記第１の利用者情報と第２の利用者情報とが一致すると判定されたときに限り、上記第２の広告情報の削除、又は上記第２の広告情報の差換えを実行することを特徴とする。
【００１１】
この請求項１の情報配信システムでは、前記管理サーバの広告情報配信履歴記憶手段が、第１の情報端末に対して配信する配信情報に含まれる第１の広告情報を記憶する。前記管理サーバの広告情報検出手段が、第２の情報端末に対して配信する配信情報に含まれる第２の広告情報を検出する。前記管理サーバの広告情報比較手段が、上記第１の広告情報と第２の広告情報とが一致するか否かを判定する。それとともに、前記管理サーバの第１の情報端末利用者情報取得手段が、上記第１の情報端末を利用する者を表す第１の利用者情報を取得する。前記管理サーバの第２の情報端末利用者名情報取得手段が、上記第２の情報端末を利用する者を表す第２の利用者情報を取得する。前記管理サーバの利用者情報判定手段が、上記第１の利用者情報と第２の利用者情報とが一致するか否かを判定する。上記広告情報比較手段によって上記第１の広告情報と第２の広告情報とが一致すると判定され、かつ上記利用者情報判定手段によって上記第１の利用者情報と第２の利用者情報とが一致すると判定された場合に、前記管理サーバの広告情報編集手段が、上記第２の情報端末に対して配信される配信情報から上記第２の広告情報を削除するか、又は上記第２の広告情報を、前記広告情報サーバにアクセスして取得した別の広告情報に差し換える。したがって、広告情報の重複を防止できる。つまり、クライアントが複数の端末で同じ広告情報を重複して見ることがなくなり、不快感を覚えなくなる。
【００１２】
請求項２の情報配信方法は、複数の情報端末、管理サーバ、及び広告情報を記憶する広告情報サーバがネットワークを介して接続され、情報端末が受信した情報に対して前記広告情報サーバに記憶された広告情報を挿入するようになっている情報配信方法において、
前記管理サーバが、第１の情報端末に対して配信する配信情報に含まれる第１の広告情報を前記管理サーバの記憶部に記憶するステップと、
前記管理サーバが、第２の情報端末に対して配信する配信情報に含まれる第２の広告情報を検出するステップと、
前記管理サーバが、上記第１の広告情報と第２の広告情報とが一致するか否かを判定する広告情報判定ステップと、
前記管理サーバが、上記第１の情報端末を利用する者を表す第１の利用者情報を取得するステップと、
前記管理サーバが、上記第２の情報端末を利用する者を表す第２の利用者情報を取得するステップと、
前記管理サーバが、上記第１の利用者情報と第２の利用者情報とが一致するか否かを判定する利用者情報判定ステップと、
前記管理サーバが、上記広告情報判定ステップによって上記第１の広告情報と第２の広告情報とが一致すると判定され、かつ上記利用者情報判定ステップによって上記第１の利用者情報と第２の利用者情報とが一致すると判定された場合に、上記第２の情報端末に対して配信される配信情報から上記第２の広告情報を削除するか、又は上記第２の広告情報を、前記広告情報サーバにアクセスして取得した別の広告情報に差し換えるステップとを備えたことを特徴とする。
【００１３】
この請求項２の情報配信方法では、前記管理サーバによって次のような処理が行われる。最初に、第１の情報端末に対して配信する配信情報に含まれる第１の広告情報を前記管理サーバの記憶部に記憶する。次に、第２の情報端末に対して配信する配信情報に含まれる第２の広告情報を検出する。次に、上記第１の広告情報と第２の広告情報とが一致するか否かを判定する（広告情報判定ステップ）。それとともに、上記第１の情報端末を利用する者を表す第１の利用者情報を取得する。次に、上記第２の情報端末を利用する者を表す第２の利用者情報を取得する。次に、上記第１の利用者情報と第２の利用者情報とが一致するか否かを判定する（利用者情報判定ステップ）。そして、上記広告情報判定ステップによって上記第１の広告情報と第２の広告情報とが一致すると判定され、かつ上記利用者情報判定ステップによって上記第１の利用者情報と第２の利用者情報とが一致すると判定された場合に、上記第２の情報端末に対して配信される配信情報から上記第２の広告情報を削除するか、又は上記第２の広告情報を、前記広告情報サーバにアクセスして取得した別の広告情報に差し換える。したがって、広告情報の重複を防止できる。つまり、クライアントが複数の端末で同じ広告情報を重複して見ることがなくなり、不快感を覚えなくなる。
【００１４】
【発明の実施の形態】
以下、この発明の情報配信システムおよび情報配信方法を図示の実施の形態により詳細に説明する。
【００１５】
（第１実施形態）
図１は、この発明の情報配信システムを適用した第１実施形態のネットワークシステムの概略構成を示している。このネットワークシステムでは、インターネット１を介して広告代理店Ａのサーバ１２と、別の広告代理店Ｂのサーバ１３と、組織ＡＡＡの企業内ＬＡＮ（ローカル・エリア・ネットワーク）２とが接続されている。組織ＡＡＡの企業内ＬＡＮ２には、組織ＡＡＡのＷｅｂ（ウェブ）サーバ２１と、クライアントＡ１のパーソナルコンピュータ３２と、組織ＡＡＡのプリントサーバ２２と、レーザプリンタ３３と、広告配信管理サーバ２３とが接続されている。また、インターネット１には、図２中に示す情報配信事業主のニュースサーバ１１も接続されている。既述の各サーバ１１，１２，１３，２１，２２，２３はそれぞれ記憶手段としてのハードディスク８１，８２，８３，７１，７２，７３を有している。なお、図１中のクライアントＡ１のパーソナルコンピュータ３２と携帯端末３１とはワイヤレスＬＡＮ３を介して通信でき、携帯端末３１と広告代理店Ａのサーバ１２とは公衆無線通信（携帯電話等）ネットワーク４を介して通信できるようになっている。
【００１６】
詳しくは後述するが、図２に示すように、クライアントＡ１のパーソナルコンピュータ３２が受信したＨＴＭＬファイル９０には、情報配信事業主のニュースサーバ１１が配信するニュースオブジェクト９１と、広告代理店の広告サーバ１２が配信する広告オブジェクト９２との記述が含まれているものとする。
【００１７】
なお、情報配信事業主のニュースサーバ１１のハードディスク８１にはニュース情報が格納され、広告代理店の広告サーバ１２のハードディスク８２には広告情報が格納されている。
【００１８】
この第１実施形態では、インターネット１上の情報配信事業主のニュースサーバ１１からＨＴＭＬ記述のネットニュースを、第１の情報端末としてのクライアントＡ１のパーソナルコンピュータ３２、第２の情報端末としての携帯端末３１のそれぞれに対して配信する例について説明する。クライアントＡ１のパーソナルコンピュータ３２、携帯端末３１には、それぞれ所定のＯＳ（オペレーティングシステム）がインストールされ、予めそのＯＳについて使用許諾を受けたアカウント名が入力されているものとする。
【００１９】
このネットワークシステムに適用された情報配信システムは、次のように機能する。
【００２０】
ｉ）クライアントＡ１がパーソナルコンピュータ３２のブラウザで、情報配信事業主が配信する情報リソース（ネットニュース）の場所、例えばホームページＨＰＡのＵＲＬを指定した上、情報（ネットニュースのＨＴＭＬファイル）取得要求を発行する。
【００２１】
ii）クライアントＡ１からの情報取得要求を受け付けた情報配信事業主のニュースサーバ１１（図２参照）は、インターネット１を介して、ＨＴＭＬファイルをクライアントＡ１のパーソナルコンピュータ３２へ転送する。なお、そのようなＨＴＭＬファイルをＷｅｂサーバ２１でキャッシュ記憶しておき、クライアントＡ１のパーソナルコンピュータ３２からの情報取得要求があったときにＷｅｂサーバ２１からＨＴＭＬファイルを提供するようにしても良い。
【００２２】
iii）クライアントＡ１のブラウザでＨＴＭＬファイルを受信し、記述にあるニュースオブジェクト９１をダウンロードする一方、リンク先の指定に応じて広告オブジェクトの情報リソースの場所（ＵＲＬ）にアクセスし、広告オブジェクト９２のあるテキストファイル／画像ファイルをダウンロードする。さらに、ＨＴＭＬファイル記述にあるオブジェクトのレイアウト情報を参照しつつ、各オブジェクト９１，９２を所定位置に配置し、画面上に表示する。
【００２３】
iv）クライアントＡ１のパーソナルコンピュータ３２は、受信したＨＴＭＬファイルを広告配信管理サーバ２３へ転送する。
【００２４】
ｖ）広告配信管理サーバ２３は、受信したＨＴＭＬファイルを解析して、広告オブジェクト９２を広告代理店サーバから取得するための＜ＡＨＲＥＦ＞〜＜／Ａ＞といったリンク先の指定のあるオブジェクト取得命令を特定する。そして、広告配信管理サーバ２３は広告情報配信履歴記憶手段および第１の情報端末利用者情報取得手段として働いて、ＨＴＭＬファイルの＜Ｔｉｔｌｅ＞、第１の広告情報としての広告ＵＲＬ（日本語表記のＵＲＬでもよい）、配信日、受信端末名（この場合は「ＰＣＡ」を指す。）、第１の利用者情報としてのパーソナルコンピュータ３２のユーザ名（その端末のＯＳについて使用許諾を受けたアカウント名、又はその端末を起動するために入力されたユーザ名を指す。以下同じ。）を履歴として記憶する。なお、広告ＵＲＬのクリック等を履歴として記憶してもよい。
【００２５】
vi）一方、クライアントＡ１が携帯端末３１を使ってホームページＨＰＢのＨＴＭＬファイルを取得しようとする場合、携帯端末３１のブラウザによってそのホームページＨＰＢのＵＲＬを入力する。
【００２６】
vii）携帯端末３１は、ワイヤレスＬＡＮ３、組織ＡＡＡの企業内ＬＡＮ２を介して、その入力されたＵＲＬを指定した上、情報（ネットニュースのＨＴＭＬファイル）取得要求を広告配信管理サーバ２３ヘ送信する。
【００２７】
viii）図３に示すように、携帯端末３１からＵＲＬを受信すると（Ｓ１）、広告配信管理サーバ２３は第２の情報端末利用者情報取得手段として働いて、第２の利用者情報としての携帯端末３１のユーザ名を取得する。また、その受信したＵＲＬにアクセスして、ホームページＨＰＢのＨＴＭＬファイルを取得する（Ｓ２）。
【００２８】
ix）続いて、広告配信管理サーバ２３は広告情報検出手段として働いて、ホームページＨＰＢのＨＴＭＬファイルを解析して（Ｓ２）、広告オブジェクトを広告代理店サーバから取得するための＜ＡＨＲＥＦ＞〜＜／Ａ＞〜といったリンク先の指定のあるオブジェクト取得命令を特定し、第２の広告情報としての広告ＵＲＬ（日本語表記のＵＲＬでもよい）を検出する。
【００２９】
ｘ）次に、広告配信管理サーバ２３は広告情報比較手段として働いて、広告配信管理サーバ２３で検出したこの広告ＵＲＬと上記ｖ）で記憶した広告ＵＲＬとが一致するか否かを判定する（Ｓ３）。二つの広告ＵＲＬが一致する場合、つまり二つの広告オブジェクトが同一である場合は、広告配信管理サーバ２３は、さらに利用者情報判定手段として働いて、クライアントＡ１のパーソナルコンピュータ３２のユーザ名と携帯端末３１のユーザ名とが一致するか否かを判定する（Ｓ４）。ここで二つのユーザ名が一致する場合、つまり同一広告（Ｓ３でＹＥＳ）且つ同一つユーザ（Ｓ４でＹＥＳ）である場合に限り、広告配信管理サーバ２３は広告情報編集手段として働いて、携帯端末３１に対して配信されるホームページＨＰＢのＨＴＭＬファイルからその広告ＵＲＬの取得命令の記述を削除する（Ｓ５）。または、広告取得命令にあるリンク先指定の記述の広告ＵＲＬを、別の広告ＵＲＬに差し換える。なお、差し換え用のＵＲＬは、広告配信管理サーバ２３が定期的に広告代理店サ−バ１２と接続して、予め広告配信管理サーバ２３のハードディスク７３に記憶しておけば良い。
【００３０】
xi）この後、広告配信管理サーバ２３は、編集したＨＴＭＬファイルをもとに、図２中に例示したようなニュースオブジェクト９１、広告オブジェクト９２を取得し、それら携帯端末３１へ転送する（Ｓ６）。なお、編集したＨＴＭＬファイルを携帯端末３１へ転送して、携帯端末３１がそれらのニュースオブジェクト９１、広告オブジェクト９２を取得するようにしても良い。
【００３１】
例えば、図４（ｃ）に示すように、最初にクライアントＡ１のパーソナルコンピュータ３２がホームページＨＰＡをアクセスして、モニタ画面に広告オブジェクト「広告Ａ」「広告Ｃ」を含む画像が表示されたとする。次に、クライアントＡ１が携帯端末３１を使ってホームページＨＰＢをアクセスしたとき、たとえホームページＨＰＢのＨＴＭＬファイルが広告オブジェクト「広告Ａ」「広告Ｃ」の記述を含むものであっても、この実施形態によれば、携帯端末３１のモニタ画面には、例えば図４（ｂ）に示すように別の広告オブジェクト「広告Ｂ」「広告Ｄ」を含む画像を表示できる。したがって、クライアントＡ１が複数の端末で同じ広告を重複して見ることがなくなり、不快感を覚えなくなる。
【００３２】
または、従来ならば、図４（ｆ）に示したようにモニタ画面上に同じ広告オブジェクト「広告Ａ」が二つ重複して表示されるところ、この実施形態によれば、図４（ａ）に示すように、モニタ画面上に同じ広告オブジェクト「広告Ａ」が二つ重複して表示されないように、携帯端末３１のモニタ画面には、互いに別の広告オブジェクト「広告Ａ」「広告Ｃ」「広告Ｂ」を含む画像を表示できる。
【００３３】
このように、この情報配信システムによれば、広告情報の重複を防止できる。
【００３４】
（第２実施形態）
この第２実施形態では、第１実施形態と同じネットワークシステム（図１参照）で、インターネット１上の情報配信事業主のニュースサーバ１１からＨＴＭＬ記述のネットニュースを、最初に第１の情報端末としてのクライアントＡ１のパーソナルコンピュータ３２で受信し、受信したネットニュースを第２の情報端末としてのレーザプリンタ３３へ転送してプリントアウトさせる例について説明する。そのとき、印刷画像の余白に広告画像を挿入するものとする。
【００３５】
上記ｉ）からｖ）までの処理を、第１実施形態におけるのと全く同様に実行する。
【００３６】
vi）クライアントＡ１のパーソナルコンピュータ３２からプリントサーバ２２に対して、ホームページＨＰＡのテキストファイル／画像ファイルを印刷すべき旨の命令を発行する。
【００３７】
vii）クライアントＡ１のパーソナルコンピュータ３２からＵＲＬを受信すると、プリンタサーバ２２は、その受信したＵＲＬにアクセスして、ホームページＨＰＢのＨＴＭＬファイルを取得する。
【００３８】
viii）続いて、プリンタサーバ２２は広告情報検出手段として働いて、ホームページＨＰＢのＨＴＭＬファイルを解析して、広告オブジェクトを広告代理店サーバから取得するための＜ＡＨＲＥＦ＞〜＜／Ａ＞〜といったリンク先の指定のあるオブジェクト取得命令を特定し、第２の広告情報としての広告ＵＲＬ（日本語表記のＵＲＬでもよい）を検出する。
【００３９】
ix）次に、プリンタサーバ２２は広告情報比較手段として働いて、プリンタサーバ２２で検出したこの広告ＵＲＬと上記ｖ）で記憶した広告ＵＲＬとが一致するか否かを判定する。二つの広告ＵＲＬが一致する場合、プリンタサーバ２２は広告情報編集手段として働いて、プリンタ３３が印字すべきホームページＨＰＡのラスタイメージデータ（ページメモリに記憶されている）に対して別のバナー広告のラスタイメージデータを上書きする。なお、上書き用のバナー広告のラスタイメージデータは、プリントサーバ２２が定期的に広告代理店サーバ１２と接続して、予めプリントサーバ２２のハードディスク７２に記憶しておけば良い。ホームページの印刷画像の余白に広告画像を挿入する手法自体は公知であるから、ここでは詳細な説明を省略する。
【００４０】
ｘ）この後、プリンタサーバ２２は、編集したホームページＨＰＡのラスタイメージデータをプリンタ３３へ転送してプリントアウトさせる。
【００４１】
例えば、図４（ｃ）に示したように、最初にクライアントＡ１のパーソナルコンピュータ３２がホームページＨＰＡをアクセスして、モニタ画面に広告オブジェクト「広告Ａ」「広告Ｃ」を含む画像が表示されたとする。次に、クライアントＡ１が受信したネットニュースをレーザプリンタ３３へ転送してプリントアウトさせようとしたとき、この実施形態によれば、図４（ｅ）に示すように別の広告オブジェクト「広告Ｂ」「広告Ｄ」を含む画像を出力できる。したがって、クライアントＡ１が複数の端末で同じ広告を重複してみるのを回避できる。
【００４２】
または、従来ならば、図４（ｆ）に示したようにモニタ画面上に同じ広告オブジェクト「広告Ａ」が二つ重複して表示されるところ、この実施形態によれば、図４（ｄ）に示すように、プリント上に同じ広告オブジェクト「広告Ａ」が二つ重複して表示されないように、互いに別の広告オブジェクト「広告Ａ」「広告Ｃ」「広告Ｂ」を含む画像を出力できる。
【００４３】
このように、この情報配信システムによれば、広告情報の重複を防止できる。
【００４４】
なお、上述の各実施形態では、広告情報が一致するか否かを判定するために広告ＵＲＬを比較したが、比較対象はこれに限られるものではない。比較対象は、ロケーター／ファイルアドレスだけでなく、バナー広告の画像ファイル名、リンクファイルのＨＴＭＬファイルの＜Ｔｉｔｌｅ＞であっても良い。
【００４５】
また、第１実施形態で、利用者情報が一致するか否かを判定するために、ユーザ名（その端末のＯＳについて使用許諾を受けたアカウント名、又はその端末を起動するために入力されたユーザ名）を比較したが、比較対象はこれに限られるものではない。比較対象は、例えばその端末が所属するネットワークグループ、ドメイン等であっても良い。そのようにした場合、広告情報の編集、重複防止を個人単位でマネージメントするだけでなく、組織単位でマネージメントすることができる。
【００４６】
【発明の効果】
以上より明らかなように、この発明の情報配信システムおよび情報配信方法によれば、広告情報の重複を防止できる。
【図面の簡単な説明】
【図１】  この発明の情報配信システムを適用した一実施形態のネットワークシステムの概略構成を示す図である。
【図２】  クライアントが受信するＨＴＭＬファイルの態様を示す図である。
【図３】  上記ネットワークシステムにおける広告配信管理サーバの制御フローを示す図である。
【図４】  上記情報配信システムによって処理される文書の態様を示す図である。
【符号の説明】
１  インターネット
２  企業内ＬＡＮ
３  ワイヤレスＬＡＮ
４  公衆無線通信ネットワーク
２２  プリントサーバ
２３  広告配信管理サーバ
９０  ＨＴＭＬファイル
【図１】
0004051891.tif 000002
【図２】
0004051891.tif 000003
【図３】
0004051891.tif 000004
【図４】
0004051891.tif 000005